(57)【要約】      （修正有）【課題】毒薬収納用の大型引き出しをなくし、調剤台の無駄な空きスペースをなくすことができる調剤台を提供する。【解決手段】調剤台の上部ユニット１の棚の端部に、薬剤収納容器４の収納スペースを利用して毒薬収納引き出し１０が取り付けられる。毒薬収納引き出し１０には施錠具１４が取り付けられ、毒薬収納引き出し１０の引き出しケース１１が取付ブラケット１３を介して上部ユニット１の側壁６に固定される。【選択図】図１
0003164760.tif 000002
【実用新案登録請求の範囲】
【請求項１】
下部ユニットの上に上部ユニットが設置され、該上部ユニットには、多数段の棚上に多数の薬剤収納容器が引き出し可能に並設した薬剤収納部が形成されてなる調剤台において、
該上部ユニットの棚の端部に、該薬剤収納容器の収納スペースを利用して毒薬収納引き出しが取り付けられ、該毒薬収納引き出しには施錠具が取り付けられ、該毒薬収納引き出しの引き出しケースが取付ブラケットを介して該上部ユニットの側壁に固定されたことを特徴とする調剤台。
【請求項２】
前記取付ブラケットには、前記毒薬収納引き出しの引き出しケースの後端部に嵌合する嵌合部が設けられ、該取付ブラケットは前記側壁に固定ねじで締め付け固定され、該引き出しケースの後端部を該取付ブラケットに嵌合させた状態で、該引き出しケースの前部を固定ねじで固定して該引き出しケースが該取付ブラケットに固定され、該引き出しケースを該引き出し本体によって閉じたとき、該引き出し本体の縁部により該固定ねじを覆うように構成されことを特徴とする請求項１記載の調剤台。
【考案の詳細な説明】
【技術分野】
【０００１】
本考案は、病院や薬局などで薬を調剤する際に使用される調剤台に関し、特に毒薬を収納する毒薬収納器を上部ユニット内に設けた調剤台に関する。
【背景技術】
【０００２】
病院や薬局などで薬を調剤する際に使用される調剤台として、従来、下記特許文献１に記載されるような調剤台が知られている。この種の調剤台は、通常、下部ユニット上に上部ユニットを取り付けて構成され、上部ユニットには、多数段の棚が設けられ、格段の棚板上には透明合成樹脂製の薬剤収納容器が収納されている。
【０００３】
一方、下部ユニットは引き出しカウンタとなっており、下部ユニットの引き出しは、比較的大型の引き出しとして形成され、調剤室内で取り扱われる多種の薬剤をこれらの大型引き出しに収納し、さらに、大型引き出しには、施錠具が設けられた引き出しがあり、毒薬のみを、その施錠具付き大型引き出しに収納するようにしている。
【先行技術文献】
【特許文献】
【０００４】
【特許文献１】特許第４４０９５１０号公報
【考案の概要】
【考案が解決しようとする課題】
【０００５】
しかし、通常、調剤台での調剤に使用される毒薬は、その数が少なく、その少ない毒薬のわりに、大型引き出しをその収納容器としていることから、毒薬を収納した施錠具付き大型引き出しの空きスペースが大きく、そのために、調剤台として無駄なスペースが大きく発生し、スペースの有効利用の観点から無駄なスペースをなくしたいという要望があった。
【０００６】
本考案は、上記の点に鑑みなされたものであり、調剤台の上部ユニットの一部に小型の毒薬収納引き出しを設けることにより、下部ユニットには毒薬収納用の大型引き出しをなくし、調剤台の無駄な空きスペースをなくすことができる調剤台を提供することを目的とする。
【課題を解決するための手段】
【０００７】
本考案の請求項１の調剤台は、下部ユニットの上に上部ユニットが設置され、該上部ユニットには、多数段の棚上に多数の薬剤収納容器が引き出し可能に並設した薬剤収納部が形成されてなる調剤台において、該上部ユニットの棚の端部に、該薬剤収納容器の収納スペースを利用して毒薬収納引き出しが取り付けられ、該毒薬収納引き出しには施錠具が取り付けられ、該毒薬収納引き出しの引き出しケースが取付ブラケットを介して該上部ユニットの側壁に固定されたことを特徴とする。
【０００８】
この考案の調剤台によれば、上部ユニットの薬剤収納部の端部に、薬剤収納容器の収納スペースを利用して毒薬収納引き出しを設けたので、比較的量の少ない毒薬は上部ユニットの毒薬収納引き出しに収納することができ、下部ユニットの施錠具付き大型引き出しを毒薬収納用に使用する必要がなく、下部ユニットの大型引き出しの収納スペースを有効利用し、無駄なスペースを無くすことができる。
【０００９】
ここで、上記取付ブラケットには、上記毒薬収納引き出しの引き出しケースの後端部に嵌合する嵌合部を設ける一方、該取付ブラケットを上記側壁に固定ねじで締め付け固定し、該引き出しケースの後端部を該取付ブラケットに嵌合させた状態で、該引き出しケースの前部を固定ねじで固定して該引き出しケースを該取付ブラケットに固定するように構成し、該引き出しケースを引き出し本体によって閉じたとき、該引き出し本体の縁部により該固定ねじを覆うように構成することができる。
【００１０】
この考案の調剤台によれば、薬剤収納容器の収納スペースを利用して、毒薬収納引き出しを上部ユニットの棚に、簡単に取り付けることができ、毒薬収納引き出しを施錠して引き出し本体を引き出さない状態では、固定ねじを外すことができず、毒薬収納引き出しの盗難を防止することができる。
【００１１】
しかも、毒薬収納引き出しの引き出し本体の外形寸法を、既存の調剤台における薬剤収納容器の収納スペースに合わせて形成すれば、既存の調剤台にも簡単に適用することができる。
【考案の効果】
【００１２】
本考案の調剤台によれば、調剤台の上部ユニットの一部に小型の毒薬収納引き出しを設けることにより、下部ユニットには毒薬収納用の大型引き出しをなくし、調剤台の無駄な空きスペースをなくすことができる。
【図面の簡単な説明】
【００１３】
【図１】本考案の一実施形態を示す調剤台の主要部（毒薬収納引き出しの部分）の斜視図である。
【図２】同毒薬収納引き出しの分解斜視図である。
【図３】上部ユニットの棚板を外した状態の毒薬収納引き出しの斜視図である。
【図４】同毒薬収納引き出しの分解斜視図である。
【図５】同毒薬収納引き出しの分解平面図である。
【考案を実施するための形態】
【００１４】
以下、本考案の一実施形態を図面に基づいて説明する。調剤台は、図１に示すように、下部ユニット２上に上部ユニット１を取り付けて構成される。調剤台の下部ユニット２は、引き出しカウンターなっており、下部ユニット２の引き出しは、比較的大型の大型引き出しとして形成され、下部ユニット２の上部に、カウンター部２ａが取り付けられている。
【００１５】
調剤台の下部ユニット２のカウンター部２ａ上に、上部ユニット１が取り付けられる。上部ユニット１は両側に側壁（側板）６，６を立設し、その側壁６，６間に複数の棚板５を水平に取り付けて、多数段の棚を有した棚ユニットとして形成される。これらの棚には、図１のように、多数の薬剤収納容器４が引き出し可能に収納される。薬剤収納容器４は、通常、上方を開口した透明合成樹脂製の箱型ケースとして形成され、錠剤ブリスターパックなどがその中に収納される。
【００１６】
図１に示すように、毒薬を収納する毒薬収納引き出し１０は、上部ユニット１の棚の下端部に、薬剤収納容器４の収納スペースを利用して取り付けられる。毒薬収納引き出し１０は引き出しケース１１に内側に引き出し本体１２を引き出し可能に挿入して構成され、引き出し本体１２には施錠具１４が取り付けられ、引き出し本体１２を引き出しケース１１内に入れた状態で施錠できるようになっている。
【００１７】
毒薬収納引き出し１０の引き出しケース１１は、前面を開口した方形の箱型に形成され、上部ユニット１の棚の収納スペースに、密に収納可能な大きさと形状に形成されている。また、引き出しケース１１の右側の後端部には、図２のように、被嵌合部１１ａが設けられ、取付ブラケット１３の後端部の嵌合部１３ａにこの被嵌合部１１ａを嵌合可能となっている。
【００１８】
また、引き出しケース１１の右側前部には、取付ブラケット１３の前折曲部１３ｂを、固定ねじ１６で締め付け固定するためのねじ孔が設けられている。引き出しケース１１は、この取付ブラケット１３を介して上部ユニット１の側壁６に、固定ねじ１５，１６と嵌合により固定されるようになっている。取付ブラケット１３は、矩形金属板の後端部と前端部を平行に曲折し、所定の固定箇所に固定用のねじ孔を設けて形成され、特に取付ブラケット１３の後端部の嵌合部１３ａは、引き出しケース１１を嵌合させるために、コ字状に曲折されている。
【００１９】
毒薬収納引き出し１０の引き出しケース１１を、上部ユニット１の棚の右下端部に、薬剤収納容器４の収納スペースを利用して取り付ける場合、図２に示すように、まず、取付ブラケット１３を固定ねじ１５，１５により側壁６の内側面に、嵌合部１３ａを後に前折曲部１３ｂを前にして平行に固定する。
【００２０】
次に、引き出しケース１１を棚の収納スペース内に入れながら、その右の後端部の被嵌合部１１ａを、取付ブラケット１３の後端部の嵌合部１３ａに嵌め込んだ状態で、引き出しケース１１の右側の前端部を取付ブラケット１３の前折曲部１３ｂの内側または外側に嵌め、図１、２に示すように、１本の固定ねじ１６を手前側から前折曲部１３ｂのねじ孔にねじ込み、引き出しケース１１を取付ブラケット１３に対し締め付け固定する。引き出しケース１１は、１本の固定ねじ１６のみで、取付ブラケット１３に対し固定することができる。
【００２１】
このように、上部ユニット１内の狭い薬剤収納容器用の収納スペースであっても、引き出しケース１１を取付ブラケット１３に嵌合させた状態で、１本の固定ねじ１６を手前からねじ込むだけで、引き出しケース１１を上部ユニット１に簡単に取り付けることができる。
【００２２】
そして、上部ユニット１内の薬剤収納容器用の収納スペースに固定された引き出しケース１１には、引き出し本体１２を図１のように挿入して取り付ける。引き出し本体１２を引き出しケース１１に挿入して閉じた状態とすれば、引き出し本体１２の右の前縁部１２ａが固定ねじ１６を覆い隠すので、施錠具１４を解錠して引き出し本体１２を引き出さない限り、引き出しケース１１を外すことはできず、毒薬の盗難などを防止し、毒薬を安全に保管することができる。
【００２３】
このように、上部ユニット１の棚の端部に、薬剤収納容器４の収納スペースを利用して毒薬収納引き出し１０を設けたので、比較的量の少ない毒薬はその小型の毒薬収納引き出し１０に収納することができ、下部ユニット２の施錠具付き大型引き出しを毒薬収納用に使用する必要がなく、下部ユニット２の大型引き出しの収納スペースを有効利用し、無駄なスペースを無くすことができる。
【００２４】
また、引き出しケース１１は取付ブラケット１３を介して棚の側壁６に固定されるので、引き出しケース１１の形状と大きさを、上部ユニット１の薬剤収納容器用の収納スペースに合わせて形成すれば、既存の調剤台であっても、その上部ユニットの薬剤収納容器用の収納スペースに、毒薬収納引き出し１０を簡単に取り付けることができる。しかも、毒薬収納引き出し１０は小型のため、取付ブラケット１３を含めて安価に製造し、取り付けることができる。
【符号の説明】
【００２５】
１      上部ユニット
２      下部ユニット
２ａ    カウンター部
４      薬剤収納容器
５      棚板
６      側壁
１１    引き出しケース
１１ａ  被嵌合部
１２    引き出し本体
１２ａ  前縁部
１３    取付ブラケット
１３ａ  嵌合部
１３ｂ  前折曲部
１４    施錠具
【図１】
0003164760.tif 000003
【図２】
0003164760.tif 000004
【図３】
0003164760.tif 000005
【図４】
0003164760.tif 000006
【図５】
0003164760.tif 000007